(57)【要約】【課題】ナプキンの使用及び補充作業を簡便に行う。【解決手段】ナプキン２をその長辺を下側にして収容するナプキン収容器１００であって、上方開口の開口部を構成する前面部１２、後面部１３、左右側面部１４、１５を具備し、後面部は、収容されたナプキンの高さと略等しい高さを有し、前面部は、前面下側部１２１と、収容されたナプキンが前側に傾倒するのを防止する傾倒防止片部１２２とを備え、傾倒防止片部は、前面部の左右両端部よりも中央側に、前面下側部の上端部よりも上方に突出するように設けられ、収容されたナプキンの摘み部２ａのうち、傾倒防止片部により覆われていない左右両端部が前側に露出されている。【選択図】図１
2009226145.tif 000002
【特許請求の範囲】
【請求項１】
左右方向に長尺なナプキンをその長辺を下側にして収容するナプキン収容器であって、
上方開口の開口部を構成する前面部及び後面部を具備し、
前記後面部は、収容されたナプキンの高さと略等しい高さを有し、
前記前面部は、前面部本体と、収容されたナプキンが前側に傾倒するのを防止する傾倒防止部とを備え、
前記傾倒防止部は、前記前面部の左右方向両端部のうち、少なくとも何れか一方の端部よりも左右方向中央側に、前記前面部本体の上端部よりも上方に突出するように設けられ、
収容されたナプキンの左右方向両端部のうち、前記傾倒防止部により覆われていない端部側に設けられた摘み部が前側に露出されていることを特徴とするナプキン収容器。
【請求項２】
前記ナプキンは、前記摘み部が左右方向に延在して設けられ、
前記傾倒防止部は、収容されたナプキンの前記摘み部の左右方向両端部のうち、少なくとも何れか一方の端部よりも左右方向中央側の部分を前側から被覆するように形成されていることを特徴とする請求項１に記載のナプキン収容器。
【請求項３】
前記摘み部は、ナプキンの左右方向に延在する折り目に沿って折り返された折り返し部により構成されていることを特徴とする請求項２に記載のナプキン収容器。
【請求項４】
前記傾倒防止部の高さは、前記摘み部の高さ以上、且つ、収容されたナプキンの高さ以下であることを特徴とする請求項１〜３の何れか一項に記載のナプキン収容器。
【請求項５】
前記収容部は、前記前面部と前記後面部を繋ぐ側面部を備え、
前記側面部の高さは、前記摘み部の高さよりも低くされていることを特徴とする請求項１〜４の何れか一項に記載のナプキン収容器。
【請求項６】
前記ナプキンのＪＩＳ  Ｌ１０９６  Ｅ法に準じたハンドルオメータ法によるソフトネス［ｇ］が４．５〜１０．０であることを特徴とする請求項１〜５の何れか一項に記載のナプキン収容器。
【発明の詳細な説明】
【技術分野】
【０００１】
本発明は、ナプキンを収容するナプキン収容器に関する。
【背景技術】
【０００２】
従来より、飲食店などのテーブルには、主として口拭き用途で使用される紙製のナプキンを収容するナプキン収容器が置かれている。
このナプキン収容器として、ナプキンを左右方向に延在する折り目に沿って折曲させて短辺を下側にした状態で収容するものが知られている（例えば、特許文献１参照）。また、ナプキンを左右方向に延在する折り目に沿って折曲させて長辺を下側にした状態で収容するナプキン収容器も知られている（例えば、特許文献２参照）。
【特許文献１】特許第３６４８２１８号公報
【特許文献２】特開２００５−１７８８４５号公報
【発明の開示】
【発明が解決しようとする課題】
【０００３】
ところで、上記特許文献１の場合、ナプキンで口を拭う際には、ナプキン収容器からナプキンを取り出した後、長手方向が左右方向と略平行となるように９０度回転させる必要があり、その作業が煩わしいといった問題もある。
そこで、長辺を下側にした状態でナプキンを収容すると、取り出した後に回転させることなくそのまま使用することができることとなるが、口拭き用に肌触り性を向上させると、ナプキンが自立し難いため、ナプキンが前側又は後側に倒れてしまい、見栄えが悪化してしまう。このため、上記特許文献２等のように、ナプキン全体をほぼ覆うように収容する必要があり、ナプキンの補充作業が煩わしくなってしまうといった問題がある。
【０００４】
そこで、本発明の課題は、ナプキンの使用及び補充作業を簡便に行うことができるナプキン収容器を提供することである。
【課題を解決するための手段】
【０００５】
請求項１に記載の発明は、
左右方向に長尺なナプキンをその長辺を下側にして収容するナプキン収容器であって、
上方開口の開口部を構成する前面部及び後面部を具備し、
前記後面部は、収容されたナプキンの高さと略等しい高さを有し、
前記前面部は、前面部本体と、収容されたナプキンが前側に傾倒するのを防止する傾倒防止部とを備え、
前記傾倒防止部は、前記前面部の左右方向両端部のうち、少なくとも何れか一方の端部よりも左右方向中央側に、前記前面部本体の上端部よりも上方に突出するように設けられ、
収容されたナプキンの左右方向両端部のうち、前記傾倒防止部により覆われていない端部側に設けられた摘み部が前側に露出されていることを特徴としている。
【０００６】
請求項２に記載の発明は、請求項１に記載のナプキン収容器において、
前記ナプキンは、前記摘み部が左右方向に延在して設けられ、
前記傾倒防止部は、収容されたナプキンの前記摘み部の左右方向両端部のうち、少なくとも何れか一方の端部よりも左右方向中央側の部分を前側から被覆するように形成されていることを特徴としている。
【０００７】
請求項３に記載の発明は、請求項２に記載のナプキン収容器において、
前記摘み部は、ナプキンの左右方向に延在する折り目に沿って折り返された折り返し部により構成されていることを特徴としている。
【０００８】
請求項４に記載の発明は、請求項１〜３の何れか一項に記載のナプキン収容器において、
前記傾倒防止部の高さは、前記摘み部の高さ以上、且つ、収容されたナプキンの高さ以下であることを特徴としている。
【０００９】
請求項５に記載の発明は、請求項１〜４の何れか一項に記載のナプキン収容器において、
前記収容部は、前記前面部と前記後面部を繋ぐ側面部を備え、
前記側面部の高さは、前記摘み部の高さよりも低くされていることを特徴としている。
【００１０】
請求項６に記載の発明は、請求項１〜５の何れか一項に記載のナプキン収容器において、
前記ナプキンのＪＩＳ  Ｌ１０９６  Ｅ法に準じたハンドルオメータ法によるソフトネス［ｇ］が４．５〜１０．０であることを特徴としている。
【発明の効果】
【００１１】
請求項１に記載の発明によれば、傾倒防止部は、前面部の左右方向両端部のうち、少なくとも何れか一方の端部よりも左右方向中央側に、前面部本体の上端部よりも上方に突出するように設けられ、当該ナプキン収容器に収容されたナプキンの左右方向両端部のうち、傾倒防止部により覆われていない端部側に設けられた摘み部が前側に露出されているので、使用者がナプキンの摘み部を摘んで上方開口の開口部を介して取り出すことにより、使用者がナプキンを持つ位置やナプキンの向きを変更することなくそのままの向きで簡便に使用することができる。
また、口拭き用に肌触り性を向上させたコシのないナプキンであっても、ナプキン収容器に収容された状態で、後面部により後側に傾倒することを防止することができるとともに、傾倒防止部により前側に傾倒することを防止することができる。
さらに、上方開口の開口部を介してナプキンの補充を行うことができるので、ナプキン全体をほぼ覆うように収容する構成のナプキン収容器に比べて補充作業をより簡便なものとすることができる。
【００１２】
請求項２に記載の発明によれば、請求項１に記載の発明と同様の効果が得られるのは無論のこと、特に、当該ナプキン収容器に収容されたナプキンの左右方向に延在する摘み部の左右方向両端部のうち、少なくとも何れか一方の端部よりも左右方向中央側の部分を前側から被覆するように傾倒防止部を形成することによって、傾倒防止部により覆われていない端部側に設けられた摘み部を前側に露出させることができ、傾倒防止部により覆われていないナプキンの摘み部を使用者に確実に摘ませることができる。
【００１３】
請求項３に記載の発明によれば、請求項２に記載の発明と同様の効果が得られるのは無論のこと、特に、ナプキンの左右方向に延在する折り目に沿って折り返された折り返し部により摘み部を構成することにより、摘み部をより簡便に構成することができる。
【００１４】
請求項４に記載の発明によれば、請求項１〜３の何れか一項に記載の発明と同様の効果が得られるのは無論のこと、特に、傾倒防止部の高さは、当該ナプキン収容器に収容されたナプキンの摘み部の高さ以上、且つ、収容されたナプキンの高さ以下であるので、収容されたナプキンが前側に傾倒することを傾倒防止部により適正に防止することができる。
【００１５】
請求項５に記載の発明によれば、請求項１〜４の何れか一項に記載の発明と同様の効果が得られるのは無論のこと、特に、ナプキン収容器の前面部と後面部を繋ぐ側面部の高さは、ナプキンの摘み部の高さよりも低くされているので、ナプキンの摘み部よりも上側の部分が露出された状態となって、ナプキン収容器の側面部側からのナプキンの取り出し性を向上させることができる。
【００１６】
請求項６に記載の発明によれば、請求項１〜５の何れか一項に記載の発明と同様の効果が得られるのは無論のこと、特に、ＪＩＳ  Ｌ１０９６  Ｅ法に準じたハンドルオメータ法によるソフトネス［ｇ］が４．５〜１０．０であるナプキン、即ち、口拭き用に肌触り性を向上させたコシのないナプキンであっても、ナプキン収容器に傾倒防止部があることでナプキンが倒れることを防止して、見栄えが悪化することを防止することができる。
【発明を実施するための最良の形態】
【００１７】
以下に、本発明について、図面を用いて具体的な態様を説明する。ただし、発明の範囲は、図示例に限定されない。
ここで、図１は、本発明を適用した一実施形態として例示するナプキン収容器１００を示す斜視図であり、図２は、ナプキン２が収容されていない状態を示す斜視図である。また、図３は、ナプキン収容器１００の正面図である。
【００１８】
本実施形態のナプキン収容器１００は、例えば、図１に示すように、左右方向に長尺な複数のナプキン２、…を収容するものである。
具体的には、ナプキン収容器１００は、図１〜図３に示すように、底面部１１と、この底面部１１の前端部から略直角に起立した前面部１２と、底面部１１の後端部から略直角に起立した後面部１３と、底面部１１の左端部から略直角に起立して前面部１２と後面部１３を繋ぐ左側面部１４と、底面部１１の右端部から略直角に起立して前面部１２と後面部１３を繋ぐ右側面部１５とを備え、前面部１２と後面部１３と左右側面部１４、１５によって上方開口の開口部１６が構成されている。
そして、底面部１１と前面部１２と後面部１３と左右側面部１４、１５によって形成される内側の収容空間に、上方開口の開口部１６を介して入れられた複数のナプキン２、…が重ねた状態で収容されるようになっている。
【００１９】
ここで、ナプキン２について図４（ａ）及び図４（ｂ）を参照して説明する。
図４（ａ）は、ナプキン２の正面図であり、図４（ｂ）は、図４（ａ）のＡ−Ａ線におけるナプキン２の断面を模式的に示す図である。
【００２０】
ナプキン２は、左右方向に延在する折り目Ｌに沿って手前側に折り返されることで左右方向に長尺な略矩形状に形成されている。そして、ナプキン２は、その長辺を下側にしてナプキン収容器１００に収容されるようになっている。
【００２１】
また、手前側に折り返された部分（折り返し部）２１の先端部（図４（ａ）及び図４（ｂ）における上端部）は、ナプキン２の上端部、即ち、後側の部分の上端部よりも低い位置となっている。これにより、当該ナプキン収容器１００に収容されたナプキン２を摘むための摘み部２ａが当該ナプキン２の前面側にて左右方向に延在するように設けられている。
このように、ナプキン２の摘み部２ａをより簡便に構成することができる。
【００２２】
なお、ナプキン２のＪＩＳ  Ｌ１０９６  Ｅ法に準じたハンドルオメータ法によるソフトネス［ｇ］が、４．５〜１０．０となっているのが好ましい。下限が４．５［ｇ］未満では、ナプキンが柔らかすぎてしっかり感がないため口拭き用途に適さないためである。また、上限が１０．０［ｇ］を超える場合には、コシがあり肌触りが悪くなるだけでなく、口にフィットしにくく拭取り性が悪くなってしまうためである。
即ち、ナプキン２のソフトネス［ｇ］を前述した範囲とすることにより、ナプキン２を口拭き用途とした場合であっても、口にフィットし易く拭取り性を向上させることができる。
【００２３】
底面部１１は、前後方向及び左右方向に対して略平行に延在する矩形板状に形成されている。
底面部１１の左右方向の長さは、ナプキン２の左右方向の長さと略等しいか、或いは、この長さよりもわずかに長くなっている。
なお、底面部１１の前後方向の長さは、収容されるナプキン２の枚数、即ち、ナプキン２の重ね数に応じて適宜任意に設定することができる。
【００２４】
後面部１３は、底面部１１及び左右側面部１４、１５の後側縁部に連続して設けられ、上下方向及び左右方向に対して略平行に延在する矩形板状に形成されている。
後面部１３の左右方向の長さは、ナプキン２の左右方向の長さと略等しいか、或いは、この長さよりもわずかに長くなっている。また、後面部１３の高さ（上下方向の長さ）は、ナプキン２の高さと略等しいか、或いは、この高さよりもわずかに高くなっている。
即ち、後面部１３は、ナプキン２の寸法と略等しいか、或いは、この寸法よりもわずかに大きい寸法に形成されている。
これにより、後面部１３は、当該ナプキン収容器１００に収容されたナプキン２を後側から被覆するとともに、後側に傾倒するのを防止するようになっている。
【００２５】
前面部１２は、上下方向及び左右方向に対して略平行に延在する板状に形成されている。具体的には、前面部１２は、底面部１１及び左右側面部１４、１５の前側縁部に連続して設けられた略矩形状の前面下側部（前面部本体）１２１と、この前面下側部１２１の上端部に連続して設けられた傾倒防止片部１２２とを具備している。
【００２６】
前面下側部１２１の左右方向の長さは、ナプキン２の左右方向の長さと略等しいか、或いは、この長さよりもわずかに長くなっている。
また、前面下側部１２１の高さは、ナプキン２の摘み部２ａの高さよりも低くなっている。例えば、前面下側部１２１の上端部から摘み部２ａまでの距離が５〜５０［ｍｍ］であり、好ましくは、１０〜３０［ｍｍ］である。
下限が５［ｍｍ］未満では、当該ナプキン収容器１００に収容されたナプキン２の摘み部２ａまでの距離が小さくなり摘み部２ａを摘みにくくなってナプキン２が取り出しにくくなるためである。また、上限が５０［ｍｍ］を超えると、当該ナプキン収容器１００に収容されたナプキン２の外部に露出される部分の表面積が大きくなり、衛生上の観点から好ましくないためである。
【００２７】
傾倒防止片部１２２は、前面下側部１２１の上端部の左右両端部よりも中央側の部分から上方に延出して略矩形状に形成されている。具体的には、傾倒防止片部１２２は、前面下側部１２１の左右方向略中央部を上下方向に沿って通る線分を中心として線対称となるように形成されている。
このように、傾倒防止片部１２２は、前面部１２の左右両端部のうち、少なくとも何れか一方の端部よりも中央側に、前面下側部１２１の上端部よりも上方に突出するように設けられている。
【００２８】
傾倒防止片部１２２の高さは、収容されたナプキン２の摘み部２ａの高さ以上、且つ、ナプキン２の高さ以下であり、具体的には、後面部１３の高さと略等しくなっている。即ち、傾倒防止片部１２２の高さは、ナプキン２の高さと略等しいか、或いは、この高さよりもわずかに高くなっている。
従って、傾倒防止片部１２２は、当該ナプキン収容器１００に収容されたナプキン２の摘み部２ａの左右方向中央部を前側から被覆するとともに、ナプキン２が前側に傾倒するのを防止するようになっている。
このようにして、ナプキン２は、傾倒防止片部１２２により被覆されていない摘み部２ａの左右両端部が前側に露出された状態となっている。
【００２９】
なお、傾倒防止片部１２２の左右方向の長さは、ナプキン２の傾倒防止の観点だけでなく、ナプキン２の取り出し性や衛生面を考慮して、傾倒防止片部１２２の左右両端部と前面下側部１２１の左右両端部との距離からも規定することができる。
即ち、傾倒防止片部１２２の左端部から前面下側部１２１の左端部までの距離及び傾倒防止片部１２２の右端部から前面下側部１２１の右端部までの距離が５〜４５［ｍｍ］であり、好ましくは、１５〜３０［ｍｍ］である。
下限が５［ｍｍ］未満では、当該ナプキン収容器１００に収容されたナプキン２の摘み部２ａの左右方向の長さが短くなり摘み部２ａを摘みにくくなってナプキン２が取り出しにくくなるためである。また、上限が４５［ｍｍ］を超えると、当該ナプキン収容器１００に収容されたナプキン２の外部に露出される部分の表面積が大きくなり、衛生上の観点から好ましくないためである。
【００３０】
左側面部１４は、底面部１１、前面下側部１２１及び後面部１３の左側縁部に連続して設けられ、前後方向及び上下方向に対して略平行に延在する矩形板状に形成されている。
右側面部１５は、底面部１１、前面下側部１２１及び後面部１３の右側縁部に連続して設けられ、前後方向及び上下方向に対して略平行に延在する矩形板状に形成されている。
【００３１】
左右側面部１４、１５の高さは、摘み部２ａの高さよりも低くされており、具体的には、前面部１２の前面下側部１２１の高さと略等しくなっている。
これにより、ナプキン収容器１００の左右両側方から当該ナプキン収容器１００に収容されたナプキン２の摘み部２ａよりも上側の部分が露出された状態となって、左右両側からのナプキン２の取り出し性を向上させることができる。
【００３２】
なお、左右側面部１４、１５の前後方向の長さは、収容されるナプキン２の枚数、即ち、ナプキン２の重ね数に応じて適宜任意に設定することができる。
【００３３】
以上のように、本実施形態のナプキン収容器１００によれば、傾倒防止片部１２２は、前面部１２の左右両端部よりも中央側に、前面下側部１２１の上端部よりも上方に突出するように設けられ、当該ナプキン収容器１００に収容されたナプキン２の傾倒防止片部１２２により覆われていない摘み部２ａの左右両端部が前側に露出されている。即ち、当該ナプキン収容器１００に収容されたナプキン２の左右方向に延在する摘み部２ａの左右両端部よりも中央側の部分を前側から被覆するように傾倒防止片部１２２を形成することによって、傾倒防止片部１２２により覆われていない摘み部２ａの左右両端部が前側に露出された状態となっている。
これにより、摘み部２ａの左右両端部を使用者に確実に摘ませることができ、使用者がナプキン２の摘み部２ａの左右両端部を摘んで上方開口の開口部１６を介してナプキン２を取り出すことにより、ナプキン２を持つ位置やナプキン２の向きを変更することなくそのままの向きで簡便に使用することができる。
また、ＪＩＳ  Ｌ１０９６  Ｅ法に準じたハンドルオメータ法によるソフトネス［ｇ］が４．５〜１０．０であるナプキン２、即ち、口拭き用に肌触り性を向上させたコシのないナプキン２であっても、ナプキン収容器１００に収容された状態で、収容されたナプキン２の高さと略等しい高さを有する後面部１３により後側に傾倒することを防止することができるとともに、後面部１３と略等しい高さの傾倒防止片部１２２により前側に傾倒することを防止することができる。よって、コシのないナプキンであっても、前側又は後側に倒れてしまって見栄えが悪化することを防止することができる。
さらに、上方開口の開口部１６を介してナプキン２の補充を行うことができるので、ナプキン全体をほぼ覆うように収容する構成のナプキン収容器に比べて補充作業をより簡便なものとすることができる。
【００３４】
なお、本発明は、上記実施形態に限定されることなく、本発明の趣旨を逸脱しない範囲において、種々の改良並びに設計の変更を行っても良い。
以下に、ナプキン収容器の変形例について、図５〜図９を参照して説明する。
【００３５】
＜変形例１＞
図５は、変形例１のナプキン収容器３００を示す斜視図である。
図５に示すように、変形例１のナプキン収容器３００は、ナプキン２の左右方向に延在する摘み部２ａの高さよりもわずかに高い高さを具備する傾倒防止片部３２２を具備している。そして、傾倒防止片部３２２により、摘み部２ａの左右方向両端部よりも中央側の部分が前側から被覆されている。
即ち、上記実施形態では、傾倒防止片部１２２の高さを、当該ナプキン収容器１００に収容されたナプキン２の高さと略等しくしたが、これに限られるものではなく、傾倒防止片部１２２の高さは摘み部２ａの高さ以上であれば適宜任意に変更することができる。
なお、変形例１のナプキン収容器３００は、傾倒防止片部３２２の高さ以外の点で上記実施形態のナプキン収容器１００と略同様の構成をなし、その説明は省略する。
【００３６】
このような構成のナプキン収容器３００であっても、上記実施形態と同様に、摘み部２ａの高さよりもわずかに高い高さを具備する傾倒防止片部３２２によりナプキン２が前側に傾倒することを適正に防止することができる。
【００３７】
＜変形例２＞
図６は、変形例２のナプキン収容器４００を示す斜視図である。
図６に示すように、変形例２のナプキン収容器４００は、前面部１２と略等しい形状の後面部４１３を具備している。
即ち、後面部４１３は、底面部１１及び左右側面部１４、１５の後側縁部に連続して設けられた後面下側部４１３１と、下側部分４１３１の上端部に連続して設けられた後側傾倒防止片部４１３２とを備えている。
【００３８】
後面下側部４１３１は、前面下側部１２１と略等しい略矩形状に形成されている。
後側傾倒防止片部４１３２は、傾倒防止片部１２２と略等しい矩形状に形成されている。具体的には、後側傾倒防止片部４１３２は、後面下側部４１３１の左右方向略中央部を上下方向に沿って通る線分を中心として線対称となるように、後面下側部４１３１の上端部の左右両端部よりも中央側の部分から上方に延出して略矩形状に形成されている。
なお、変形例２のナプキン収容器４００は、後面部４１３の構成以外の点で上記実施形態のナプキン収容器１００と略同様の構成をなし、その説明は省略する。
【００３９】
このような構成のナプキン収容器４００であっても、上記実施形態と同様に、傾倒防止片部１２２により前側に傾倒することを防止することができるとともに、前面部１２と略等しい形状の後面部４１３により後側に傾倒することを防止することができる。
さらに、前面部１２及び後面部４１３が略等しい形状に形成されているので、当該ナプキン収容器４００の前後を気にすることなく使用することができ、ナプキン２の補充作業をより簡便なものとすることができる。
【００４０】
＜変形例３＞
図７は、変形例３のナプキン収容器５００を示す斜視図である。
図７に示すように、変形例３のナプキン収容器５００は、上記実施形態における左右側面部１４、１５を具備しないものである。
なお、変形例３のナプキン収容器５００は、左右側面部１４、１５を備えない以外の点で上記実施形態のナプキン収容器１００と略同様の構成をなし、その説明は省略する。
【００４１】
このような構成のナプキン収容器５００であっても、上記実施形態と同様に、ナプキン２の前側及び後側への傾倒を防止して、ナプキン２の使用及びナプキン２の補充作業を簡便に行うことができる。特に、ナプキン収容器５００には、左右側面部１４、１５が設けられていないので、当該ナプキン収容器５００に対して右側や左側からもナプキン２の補充を行うことができ、ナプキン２の補充作業をより簡便なものとすることができる。
【００４２】
＜変形例４＞
図８は、変形例４のナプキン収容器６００を示す斜視図である。
図８に示すように、変形例４のナプキン収容器６００は、傾倒防止片部６２２及び前面下側部６２１の上端部が湾曲して形成された前面部６１２を具備している。
【００４３】
即ち、傾倒防止片部６２２は、上記実施形態における傾倒防止片部１２２の上端左右両角部に相当する部分に丸みが付けられて、上側に凸の略円弧状に形成されている。なお、傾倒防止片部６２２の高さは、後面部１３の高さと略等しくなっている。
また、前面下側部６２１の上端部は、傾倒防止片部６２２の下端部に連続する部分から左右両端部の各々に亘って下側に凹むように略円弧状に形成されている。
なお、変形例４のナプキン収容器６００は、前面部６１２の構成以外の点で上記実施形態のナプキン収容器１００と略同様の構成をなし、その説明は省略する。
【００４４】
このような構成のナプキン収容器６００であっても、上記実施形態と同様に、ナプキン２の前側及び後側への傾倒を防止して、ナプキン２の使用及びナプキン２の補充作業を簡便に行うことができる。特に、前面部６１２の傾倒防止片部６２２及び前面下側部６２１の上端部が湾曲して形成されているので、ナプキン２の補充作業の際に、ナプキン２が前面部６１２の外縁部に引っ掛かり難くなって、当該補充作業をより簡便に行うことができる。
【００４５】
＜変形例５＞
図９（ａ）は、変形例５のナプキン収容器７００を示す斜視図であり、図９（ｂ）は、ナプキン収容器７００を右側から視て示した右側面図である。
図９（ａ）及び図９（ｂ）に示すように、変形例５のナプキン収容器７００は、傾倒防止片部７２２が手前側に傾斜した前面部７１２を具備している。
傾倒防止片部７２２は、図９（ｂ）に示すように、上下方向に対して手前側にわずかに傾斜して形成されている。
なお、変形例５のナプキン収容器７００は、前面部７１２の構成以外の点で上記実施形態のナプキン収容器１００と略同様の構成をなし、その説明は省略する。
【００４６】
このような構成のナプキン収容器７００であっても、上記実施形態と同様に、ナプキン２の後側への傾倒を防止して、ナプキン２の使用及びナプキン２の補充作業を簡便に行うことができる。特に、前面部７１２の傾倒防止片部７２２が手前側に傾斜して形成されているので、ナプキン収容器７００の収容空間に後面部１３側に傾倒させるようにナプキン２を収容した状態で、ナプキン２の前面と前面部７１２の間に空間が形成されて当該ナプキン収容器７００からナプキン２をより取り出し易くすることができる。
【００４７】
また、上記実施形態では、傾倒防止片部１２２は前面下側部１２１の上端部の左右両端部よりも中央側の部分に設けられるようにしたが、これに限られるものではなく、傾倒防止片部１２２は、前面部１２の左右両端部のうち、少なくとも何れか一方の端部よりも左右方向中央側に設けられていれば良い。即ち、傾倒防止片部１２２は、ナプキン２の摘み部２ａの左側部分のみを露出させ、且つ摘み部２ａの右側部分を被覆するように前面部１２の左側の端部よりも左右方向中央側に設けられていても良いし、ナプキン２の摘み部２ａの右側部分のみを露出させ、且つ摘み部２ａの左側部分を被覆するように前面部１２の右側の端部よりも左右方向中央側に設けられていても良い。
即ち、ナプキン収容器１００に収容されたナプキン２を左側若しくは右側からのみ取り出し可能となるような構成としても良い。
【００４８】
また、上記実施形態では、傾倒防止片部１２２として、前面下側部１２１の上端部に連設されたものを例示したが、これに限られるものではなく、傾倒防止片部１２２と前面下側部１２１を別部材で構成しても良い。例えば、傾倒防止片部１２２は、前面下側部１２１の前面（表面）や裏面の所定位置に配設されたものであっても良い。
【００４９】
さらに、上記実施形態では、左右側面部１４、１５の高さを前面下側部１２１の高さと略等しくなるようにしたが、これに限られるものではなく、ナプキン２の摘み部２ａの高さよりも低くされていれば如何なる高さであっても良い。
なお、ナプキン２の左右両側からの取り出し性を考慮しなければ、左右側面部１４、１５の高さをナプキン２の摘み部２ａの高さよりも高くしても良い。これにより、当該ナプキン収容器１００に収容されたナプキン２の外部に露出される部分の表面積をより小さくすることができ、衛生上の観点から好ましいためである。
また、左右側面部１４、１５の高さが等しいものを例示したが、左右側面部１４、１５の高さが異なっていても良い。
【００５０】
また、上記実施形態では、底面部１１の内面を略平坦状に形成したが、これに限られるものではなく、例えば、前側から後側に下るように傾斜させても良いし、後側から前側に下るように傾斜させても良い。即ち、底面部１１の前側及び後側のうち、いずれか一方の側を他方の側に対して低くすることで、収容されたナプキン２をより低い側に集めることができ、収容された複数のナプキン２、…の枚数が少なくなってもこれらナプキン２どうしの間に隙間を生じさせ難くすることができる。これにより、複数のナプキン２、…どうしの間に塵や埃等が入り難くなって、ナプキン２をより清潔な状態にすることができる。
【００５１】
さらに、上記実施形態では、ナプキン２の摘み部２ａを、折り目Ｌに沿って折り返された折り返し部２１により構成するようにしたが、摘み部２ａの構成はこれに限られるものではなく、適宜任意に変更することができる。
即ち、摘み部２ａは必ずしも左右方向に延在して設けられている必要はなく、傾倒防止片部１２２により被覆されずに前側に露出される部分にのみ設けられていれば良い。
【図面の簡単な説明】
【００５２】
【図１】本発明を適用した一実施形態として例示するナプキン収容器を示す斜視図である。
【図２】図１のナプキン収容器にナプキンが収容されていない状態を示す斜視図である。
【図３】図２のナプキン収容器の正面図である。
【図４】図１のナプキン収容器に収容されるナプキンを説明するための図であり、図４（ａ）は、正面図であり、図４（ｂ）は、図４（ａ）のＡ−Ａ線におけるナプキンの断面を模式的に示す図である。
【図５】変形例１のナプキン収容器を示す斜視図である。
【図６】変形例２のナプキン収容器を示す斜視図である。
【図７】変形例３のナプキン収容器を示す斜視図である。
【図８】変形例４のナプキン収容器を示す斜視図である。
【図９】変形例５のナプキン収容器を説明するための図であって、図９（ａ）は、ナプキン収容器を示す斜視図であり、図９（ｂ）は、ナプキン収容器を右側から視て示した右側面図である。
【符号の説明】
【００５３】
１００  ナプキン収容器
１２    前面部
１２１  前面下側部（前面部本体）
１２２  傾倒防止片部（傾倒防止部）
１３    後面部
１４    左側面部
１５    右側面部
１６    開口部
２      ナプキン
２１    折り返し部
２ａ    摘み部
【図１】
2009226145.tif 000003
【図２】
2009226145.tif 000004
【図３】
2009226145.tif 000005
【図４】
2009226145.tif 000006
【図５】
2009226145.tif 000007
【図６】
2009226145.tif 000008
【図７】
2009226145.tif 000009
【図８】
2009226145.tif 000010
【図９】
2009226145.tif 000011